(57)【要約】【課題】導光部材を変位させる構成においても導光部材の保持が確実に行われる光源装置を提供する。【解決手段】同一の仮想円Ｃ上に配置された複数の光源２と、仮想円Ｃの軸線Ｏ周りに回転可能な回転台３と、回転台３を回転駆動する駆動装置４と、光源２が発する光を案内する導光部材５と、導光部材５を、出射端５ａが仮想円Ｃの中心に位置し、入射端５ｂが仮想円Ｃの径方向外側に向いた状態で回転台３に固定する固定部材６とを設ける。固定部材６として、導光部材５を入射端５ｂ側から受けて導光部材５の入射端５ｂ側への移動を規制する支持部１１を設ける。【選択図】    図１
2008098095.tif 000002
【特許請求の範囲】
【請求項１】
同一の仮想円上に配置された複数の光源と、
前記仮想円の軸線周りに回転可能な回転台と、
該回転台を回転駆動する駆動装置と、
前記光源が発する光を案内する導光部材と、
該導光部材を、出射端が前記仮想円の中心に位置し、入射端が前記仮想円の径方向外側に向いた状態で前記回転台に固定する固定部材とを有しており、
前記固定部材が、前記導光部材を前記入射端側から受けて該導光部材の前記入射端側への移動を規制する支持部を有している光源装置。
【請求項２】
前記導光部材が、入射端側から出射端側に向うにつれて該導光部材の光軸に対する距離が増大する傾斜面を有しており、
前記支持部が、前記傾斜面を受けている請求項１記載の光源装置。
【請求項３】
前記導光部材が、入射端側から出射端側に向うにつれて該導光部材の光軸に対する距離が増大する傾斜面を有しており、
前記支持部が、前記傾斜面と該傾斜面に隣接する面とが交差する稜線を受けている請求項１記載の光源装置。
【請求項４】
前記支持部は、前記導光部材のうち、前記回転台に対して前記導光部材の重心よりも前記仮想円の前記軸線方向に離間した部位を支持している請求項１から３のいずれかに記載の光源装置。
【請求項５】
前記支持部は、前記導光部材の重心よりも前記回転台の回転中心側の部位を受けている請求項１から４のいずれかに記載の光源装置。
【請求項６】
前記回転台には、前記導光部材の設置位置に対して回転中心を挟んで反対側に、前記導光部材に対するカウンターウェイトが設けられている請求項１から５のいずれかに記載の光源装置。
【請求項７】
前記支持部が、前記カウンターウェイトに設けられている請求項６記載の光源装置。
【請求項８】
前記支持部は、前記導光部材の入射端の周縁部を受けている請求項１に記載の光源装置。
【請求項９】
前記各光源は、それぞれ光軸を前記仮想円の中心に向けられており、
前記導光部材は、入射端が前記仮想円の径方向に直交する平面とされており、
前記支持部は、前記導光部材の入射端の周縁部のうち、前記仮想円の軸線方向に位置する領域を受けている請求項８に記載の光源装置。
【請求項１０】
前記回転台には、前記導光部材を収納する凹部が設けられており、該回転台自体が前記支持部を構成している請求項１から７のいずれかに記載の光源装置。
【請求項１１】
前記支持部は、前記回転台に設けられてその一面で前記導光部材の入射端面全体を受ける透明板によって構成されている請求項１に記載の光源装置。
【請求項１２】
前記支持部は、前記回転台に対して前記導光部材の入射端よりも回転中心側に設けられるフィルムホルダと、
該フィルムホルダに保持されて該フィルムホルダから前記導光部材の入射端に巻きまわされる透明フィルムによって構成されている請求項１に記載の光源装置。
【請求項１３】
前記回転台には、前記導光部材の設置位置に対して回転中心を挟んで反対側に、前記導光部材に対するカウンターウェイトが設けられており、
該カウンターウェイトが、前記フィルムホルダを構成している請求項１２に記載の光源装置。
【請求項１４】
前記導光部材の側面には、係合凹部または係合突部が設けられており、
前記支持部は、前記導光部材の前記係合凹部に係合する係合突部、前記導光部材の前記係合突部に係合する係合突部、前記導光部材の前記係合突部に係合する係合凹部とのうちのいずれかを有している請求項１に記載の光源装置。
【請求項１５】
前記各光源が、光軸を前記仮想円の軸線方向の一方に向けられており、
前記導光部材は、前記入射端が前記各光源に対向する部位まで達しており、
該入射端は、前記各光源に対向する向きの入射端面と、該入射端面から入射した光を前記仮想円の中心に向けて反射する反射面とを有する三角プリズムによって構成されており、
前記支持部は、前記反射面を受ける構成とされている請求項１に記載の光源装置。
【発明の詳細な説明】
【技術分野】
【０００１】
この発明は、光源の発する光を導光部材によって所定位置に導いて利用する構成の光源装置に関するものである。
【背景技術】
【０００２】
このような光源装置としては、例えば、後記の特許文献１に記載の照明装置が知られている。この照明装置は、発光体と、発光体が発する光を導く導光手段（テーパロッド）と、発光体と導光手段とを一体的に保持する保持手段と備えている。
【０００３】
【特許文献１】特開２００４−９３６２３号公報
【発明の開示】
【発明が解決しようとする課題】
【０００４】
ここで、本発明者らは、光源装置に関する研究開発の結果、新規な構成の光源装置を発明した。この新規な光源装置は、複数の光源と、一つの導光部材と、導光部材を変位させる駆動装置とを有している。
この光源装置では、複数の光源のうち、点灯させる光源が順次切り換えられるとともに、駆動装置によって、導光部材の入射端が常に点灯している光源に対向するよう、導光部材が変位させられるようになっている。
【０００５】
例えば、この光源装置では、各光源は、同一の仮想円上に配置されており、点灯される光源が、仮想円の円周方向に隣接する光源に順次切り換えられるようになっている。また、この光源装置には、仮想円の軸線周りに回転可能な回転台が設けられている。
導光部材は、出射端を仮想円の中心に位置させ、入射端を仮想円の径方向外側に向けた状態にして回転台に取り付けられている。駆動装置は、回転台を仮想円の軸線回りに回転駆動することで、導光部材の入射端を、出射端を中心にして周回させる構成とされている。これにより、導光部材は、出射端の位置を変えることなく、入射端が各光源に順次対向させられる。さらに、回転台の回転速度は、点灯させる光源の切換速度と同期させられている。これにより、導光部材の入射端が、常に点灯している光源に対向させられることになり、導光部材に常に光が供給される。
【０００６】
この光源装置において、個々の光源は、常時点灯されるのではなく、点灯と消灯とが繰り返される。このため、この光源装置においては、各光源の点灯時間が短くて済み、各光源の負担が低減される。例えば、光源がＬＥＤ（Light Emitting Diode）である場合には光源の過熱を防止することができる。このため、この光源装置では、光源の点灯時に光源に供給する電力を従来よりも大きくして光源の輝度を高めることができ、より明るい照明光を得ることができる。
【０００７】
この光源装置では、上記のように、導光部材が、点灯させる光源の切換に追従させて変位させられる。例えば、上記した具体例では、導光部材は、出射端を中心として回転駆動される。この時、導光部材には慣性力が働くため、回転台に対する導光部材の固定を確実にする必要がある。
しかしながら、特許文献１には、導光部材を変位させない場合における導光部材の保持手段が記載されているのみである。すなわち、特許文献１に記載の技術は、導光部材が変位させられて、導光部材に慣性力が作用する条件下での導光部材の保持を想定したものではない。このため、特許文献１に記載の技術を、単純に導光部材を変位させる光源装置に適用しても、回転台に対する導光部材の固定を確実に行うことができるとは限らない。
【０００８】
この発明は上述した事情に鑑みてなされたものであって、導光部材を変位させる構成においても回転台に対する導光部材の固定が確実に行われる光源装置を提供することを目的としている。
【課題を解決するための手段】
【０００９】
上記目的を達成するために、本発明は、以下の手段を提供する。
本発明は、同一の仮想円上に配置された複数の光源と、前記仮想円の軸線周りに回転可能な回転台と、該回転台を回転駆動する駆動装置と、前記光源が発する光を案内する導光部材と、該導光部材を、出射端が前記仮想円の中心に位置し、入射端が前記仮想円の径方向外側に向いた状態で前記回転台に固定する固定部材とを有しており、前記固定部材が、前記導光部材を前記入射端側から受けて該導光部材の前記入射端側への移動を規制する支持部を有している光源装置を提供する。
【００１０】
このように構成される光源装置では、駆動装置によって回転台を回転駆動すると、回転台上に固定されている導光部材には、入射端側に向けて遠心力が作用する。すなわち、駆動装置によって回転台が回転駆動されると、導光部材には、導光部材を入射端側に移動させようとする力が作用する。
この光源装置では、導光部材は、固定部材によって回転台に固定されている。この固定部材は、導光部材を入射端側から受けて、導光部材の入射端側への移動を規制する支持部を有している。
すなわち、この光源装置では、上記のように導光部材に対して導光部材を入射端側に移動させようとする力が作用しても、導光部材が支持部に受けられて導光部材の入射端側への移動が規制されるので、回転台に対する導光部材の固定が確実に行われる。
【００１１】
前記導光部材が、入射端側から出射端側に向うにつれて該導光部材の光軸に対する距離が増大する傾斜面を有しており、前記支持部が、前記傾斜面を受けていてもよい。
このように構成される光源装置では、支持部は、導光部材の傾斜面を受けている。
この傾斜面は、導光部材において、入射端側から出射端側に向うにつれて光軸に対する距離が増大する向きの傾斜面である。このため、導光部材に対して導光部材を入射端側に移動させようとする力が作用しても、導光部材の傾斜面が支持部によって受けられて、導光部材の入射端側への移動が規制されるので、回転台に対する導光部材の固定が確実に行われる。
また、この光源装置では、固定部材は、導光部材の入射端面を開放した状態で、導光部材の固定を行うことができるので、光源が発する光を導光部材の入射端面から効果的に取り込むことができ、照明効率が高い。
【００１２】
ここで、導光部材は、側面のうちの一部のみが傾斜面とされていてもよく、円錐形状や角錐形状など、側面全体が傾斜面にされていてもよい。
また、導光部材は、側面のうち、少なくとも光軸を挟んで反対側に位置する側面がそれぞれ傾斜面とされ、固定部材には、この一対の傾斜面のそれぞれに対応させて一対の支持部が設けられていてもよい。この場合には、導光部材は、光軸を挟んだ両側から支持部によって挟み込まれるように支持されるので、より確実かつ強固に導光部材の支持を行うことができる。
【００１３】
前記導光部材が、入射端側から出射端側に向うにつれて該導光部材の光軸に対する距離が増大する傾斜面を有しており、前記支持部が、前記傾斜面と該傾斜面に隣接する面とが交差する稜線を受けていてもよい。
導光部材の傾斜面は、入射端側から出射端側に向うにつれて光軸に対する距離が増大する向きの傾斜面である。このため、導光部材の傾斜面とこの傾斜面に隣接する面とが交差する稜線は、入射端側から出射端側に向うにつれて光軸に対する距離が増大する向きに傾斜している。
支持部は、この稜線を受けているので、導光部材に対して導光部材を入射端側に移動させようとする力が作用しても、導光部材の稜線が支持部によって受けられて、導光部材の入射端側への移動が規制されるので、回転台に対する導光部材の固定が確実に行われる。
また、支持部は、導光部材に対して線接触しており面接触に比べて接触面積を小さくしている。通常、導光部材と支持部との接触部分は反射率が低下するが、接触面積を小さくすることで光学的に効率のよい導光部材とすることができる。
【００１４】
また、この光源装置では、固定部材は、導光部材の入射端面を開放した状態で、導光部材の固定を行うことができるので、光源が発する光を導光部材の入射端面から効果的に取り込むことができ、照明効率が高い。また、この光源装置では、固定部材は、導光部材の側面のうち、稜線を除く部位を開放した状態で、導光部材の固定を行うことができるので、光源が発する光を導光部材の入射端面から効果的に取り込むことができ、照明効果が高い。
【００１５】
また、この場合においても、導光部材は、側面のうちの一部のみが傾斜面とされていてもよく、側面全体が傾斜面にされていてもよい。
また、導光部材は、側面のうち、少なくとも光軸を挟んで反対側に位置する側面がそれぞれ傾斜面とされ、固定部材には、この一対の傾斜面のそれぞれがなす稜線に対応させて一対の支持部が設けられていてもよい。この場合には、導光部材は、光軸を挟んだ両側から支持部によって挟み込まれるように支持されるので、より確実かつ強固に導光部材の支持を行うことができる。
【００１６】
ここで、回転台上に設けられている導光部材に遠心力が作用すると、導光部材の支持構造によっては、導光部材に作用する遠心力が、導光部材の重心位置よりも回転軸に近い側にある接着部に対し、導光部材の出射端側を回転台から離間する向きの力として作用することがある。
そこで、支持部を、導光部材のうち、回転台に対して導光部材の重心よりも仮想円の軸線方向に離間した部位を支持する構成とすることで、導光部材に作用する遠心力が、導光部材の出射端側を回転台から離間させる向きの力として作用することがなくなり、導光部材の固定がより安定する。
【００１７】
前記支持部は、前記導光部材の重心よりも前記回転台の回転中心側の部位を受けていてもよい。
このように、支持部を、導光部材の重心よりも回転台の回転中心側の部位を受ける構成とすることで、導光部材に作用する遠心力が、回転台から導光部材の出射端側を離間させる向きの力として作用することがなくなり、導光部材の固定がより安定する。
【００１８】
前記回転台には、前記導光部材の設置位置に対して回転中心を挟んで反対側に、前記導光部材に対するカウンターウェイトが設けられていてもよい。
この場合には、回転台にカウンターウェイトが設けられることによって、回転台における回転中心をはさんだ重量バランスが均等に保たれているので、回転台の回転が安定し、導光部材の回転を光源の点灯の切換タイミングに正確に同期させることができる。
【００１９】
前記支持部が、前記カウンターウェイトに設けられていてもよい。
この場合には、回転台を回転させると、カウンターウェイトにも遠心力が作用する。カウンターウェイトに作用する遠心力は、導光部材に作用する遠心力とは逆向きである。このため、回転台を回転させると、カウンターウェイトに設けられた支持部は、導光部材に作用する遠心力とは反対方向に導光部材を引っ張ることになる。また、導光部材に作用する遠心力が大きくなるほど、カウンターウェイトに作用する遠心力も大きくなる。
これにより、導光部材に作用する遠心力の大きさによらず、導光部材の入射端側への移動を効果的に規制することができ、回転台に対する導光部材の固定を良好に行うことができる。
【００２０】
前記支持部は、前記導光部材の入射端の周縁部を受けていてもよい。
この場合には、導光部材の形状によらず、導光部材の固定を行うことができる。
【００２１】
前記各光源は、それぞれ光軸を前記仮想円の中心に向けられており、前記導光部材は、入射端が前記仮想円の径方向に直交する平面とされており、前記支持部は、前記導光部材の入射端の周縁部のうち、前記仮想円の軸線方向に位置する領域を受けていてもよい。
この場合には、導光部材の入射端の周縁部のうち、回転台の回転方向の前方の領域及び回転方向後方の領域には、支持部が設けられていない。すなわち、支持部は、導光部材の入射端のうち、光源の位置する領域に対向する領域を避けた部位を支持している。
これにより、光源と支持部との干渉が避けられるので、導光部材の入射端と光源とをより近接させて、光源から導光部材に入射する光量を増加させることができ、照明効率を向上することができる。
【００２２】
前記回転台には、前記導光部材を収納する凹部が設けられており、該回転台自体が前記支持部を構成していてもよい。
この場合には、導光部材が回転台の凹部内に収納されているので、回転台上に導光部材を露出させた場合に比べて、導光部材を回転させることによって導光部材及び回転台に加わる空気抵抗が低減される。
これにより、導光部材を回転駆動した際の風切り音が低減するので、静粛性が向上する。また、空気抵抗による駆動装置の負荷も低減される。
また、回転台自体が支持部を構成しているので、支持部を回転台とは別部材とした場合に比べて、光源装置の部品点数を低減して、製造コストを低減することができる。
【００２３】
ここで、回転台の各部の重量配分を、導光部材を凹部内に収納した状態で回転台における回転中心を挟んだ重量バランスが均等に保たれるように設定することで、カウンターウェイトを用いることなしに、回転台の回転を安定させることができ、導光部材の回転を光源の点灯の切換タイミングに正確に同期させることができる。
【００２４】
前記支持部は、前記回転台に設けられてその一面で前記導光部材の入射端面全体を受ける透明板によって構成されていてもよい。
この場合には、導光部材の形状によらず、導光部材の固定を行うことができる。さらに、支持部が透明板であるため、光源から導光部材への光の入射を妨げないので、照明効率の低下が生じない。
【００２５】
前記支持部は、前記回転台に対して前記導光部材の入射端よりも回転中心側に設けられるフィルムホルダと、該フィルムホルダに保持されて該フィルムホルダから前記導光部材の入射端に巻きまわされる透明フィルムによって構成されていてもよい。
この場合には、導光部材の形状によらず、導光部材の固定を行うことができる。さらに、支持部が透明フィルムであるため、光源から導光部材への光の入射を妨げないので、照明効率の低下が生じない。
【００２６】
前記回転台には、前記導光部材の設置位置に対して回転中心を挟んで反対側に、前記導光部材に対するカウンターウェイトが設けられており、該カウンターウェイトが、前記フィルムホルダを構成していてもよい。
この場合には、回転台を回転させると、支持部を構成する透明フィルムには、カウンターウェイトに作用する遠心力が作用する。カウンターウェイトに作用する遠心力は、導光部材に作用する遠心力とは逆向きであるので、透明フィルムは、導光部材に作用する遠心力とは反対方向に導光部材を引っ張ることになる。また、導光部材に作用する遠心力が大きくなるほど、カウンターウェイトに作用する遠心力も大きくなる。
これにより、導光部材に作用する遠心力の大きさによらず、導光部材の入射端側への移動を効果的に規制することができ、回転台に対する導光部材の固定を良好に行うことができる。
また、導光部材の形状によらず、導光部材の固定を行うことができる。さらに、支持部が透明フィルムであるため、光源から導光部材への光の入射を妨げないので、照明効率の低下が生じない。
【００２７】
前記導光部材の側面には、係合凹部または係合突部が設けられており、前記支持部は、前記導光部材の前記係合凹部に係合する係合突部、前記導光部材の前記係合突部に係合する係合突部、前記導光部材の前記係合突部に係合する係合凹部とのうちのいずれかを有していてもよい。
この場合には、導光部材の形状によらず、導光部材の固定を行うことができる。
【００２８】
前記各光源が、光軸を前記仮想円の軸線方向の一方に向けられており、前記導光部材は、前記入射端が前記各光源に対向する部位まで達しており、該入射端は、前記各光源に対向する向きの入射端面と、該入射端面から入射した光を前記仮想円の中心に向けて反射する反射面とを有する三角プリズムによって構成されており、前記支持部は、前記反射面を受ける構成とされていてもよい。
この場合には、固定部材は、導光部材の入射端面を開放した状態で、導光部材の固定を行うことができるので、光源が発する光を導光部材の入射端面から効果的に取り込むことができ、照明効率が高い。
【発明の効果】
【００２９】
本発明によれば、導光部材を変位させる構成においても導光部材の保持を確実することができる。
【発明を実施するための最良の形態】
【００３０】
以下、本発明の実施形態について、図面を用いて説明する。
［第一実施形態］
本実施形態に係る光源装置１は、例えば照明装置の光源や、プロジェクタの光源として用いられるものである。
図１及び図２に示すように、光源装置１は、同一の仮想円Ｃ上に配置された複数の光源２と、仮想円Ｃの軸線Ｏ周りに回転可能な回転台３と、回転台３を回転駆動する駆動装置４と、光源２が発する光を案内する導光部材５と、導光部材５を、出射端５ａが仮想円Ｃの中心に位置し、入射端５ｂが仮想円Ｃの径方向外側に向いた状態で回転台３に固定する固定部材６とを有している。
【００３１】
本実施形態では、各光源２は、ＬＥＤによって構成されている。これら光源２は、光軸を仮想円Ｃの中心に向けた状態にして、軸線Ｏ回りに略等間隔に配置されている。
回転台３は、略長方形板状の部材であって、仮想円Ｃの内側に、光源２に対して軸線Ｏ方向にオフセットして、仮想円Ｃのなす平面に平行にして設けられている。回転台３の長手方向の端部は、回転台３の回転中心を中心とする円弧状に形成されている。これによって回転台３の長手方向の端部が、各光源２との干渉を避けつつ、各光源２に最大限接近させられている。
【００３２】
駆動装置４としては、駆動軸を仮想円Ｃの軸線Ｏと同軸にして設けられた電動モータが用いられている。この電動モータは、モータ本体を図示せぬ装置本体に固定されており、駆動軸が、回転台３の中心位置（長手方向及び幅方向の中心位置）に接続されている。
これにより、電動モータを駆動すると、回転台３が、仮想円Ｃの軸線回りに回転駆動される。
【００３３】
回転台３上には、光源２の光軸に対向する位置に、導光部材５が設けられている。
導光部材５は、入射端５ｂ側から出射端５ａ側に向かうにつれて導光部材５の光軸に対する距離が増大する傾斜面５ｃを有するテーパロッドとされている。本実施形態では、導光部材５は、回転台３の回転方向前方を向く側面と回転方向後方を向く側面のみが傾斜面５ｃとされた断面略四角形のテーパロッドとされている。また、導光部材５の入射端面５ｄは、導光部材５の光軸に略直交しており、出射端面は、仮想円Ｃの軸線Ｏ方向のうち、回転台３が位置する側とは反対側に向けられている。導光部材５の出射端５ａは、入射端５ｂから導光部材５に入射した光を仮想円Ｃの軸線Ｏ方向の回転台３とは反対側に向けて反射する反射面５ｅを有する三角プリズムによって構成されている。
【００３４】
導光部材５と回転台３との間には、固定部材６として、接着剤層７が設けられており、導光部材５は、この接着剤層７によって回転台３に対して接着固定されている。本実施形態では、回転台３上には、導光部材５に対向する部位に突出部８が設けられており、接着剤層７は、この突出部８上に設けられている。
また、接着剤層７は、導光部材５の重心位置をはさんで入射端５ｂ側と出射端５ａ側とにそれぞれ設けられている。
【００３５】
また、この光源装置１には、固定部材６として、導光部材５を入射端５ｂ側から受けて導光部材５の入射端５ｂ側への移動を規制する支持部１１が設けられている。
本実施形態では、支持部１１は、回転台３上に仮想円Ｃの軸線Ｏに略平行となるように突出させて設けられる円柱状の部材によって構成されている。この支持部１１は、導光部材５の傾斜面５ｃを受けている。
【００３６】
この光源装置１では、各光源２は、同一の仮想円Ｃ上に配置されており、点灯される光源２が、仮想円Ｃの円周方向に隣接する光源２に順次切り換えられるようになっている。  導光部材５は、駆動装置４によって回転台３が仮想円Ｃの軸線Ｏ回りに回転駆動されることで、入射端５ｂを、軸線Ｏを中心として周回させられるようになっている。
これにより、導光部材５は、出射端５ａの中心位置を変えることなく、入射端５ｂが各光源２に順次対向させられる。さらに、回転台３の回転速度は、点灯させる光源２の切換速度と同期させられている。これにより、導光部材５の入射端５ｂが、常に点灯している光源２に対向させられることになり、導光部材５に常に光が供給される。
【００３７】
このように導光部材５を回転駆動すると、導光部材５には遠心力Ｆが作用する。
すなわち、駆動装置４によって回転台３が回転駆動されると、導光部材５には、導光部材５を入射端５ｂ側に移動させようとする力が作用する。
この光源装置１では、導光部材５は、固定部材６によって回転台３に固定されている。この固定部材６は、導光部材５を入射端５ｂ側から受けて、導光部材５の入射端５ｂ側への移動を規制する支持部１１を有している。
【００３８】
この光源装置１では、支持部１１は、導光部材５の傾斜面５ｃを受けている。
この傾斜面５ｃは、導光部材５において、入射端５ｂ側から出射端５ａ側に向うにつれて光軸に対する距離が増大する向きの傾斜面である。このため、導光部材５に対して導光部材５を入射端５ｂ側に移動させようとする力が作用しても、導光部材５の傾斜面５ｃが支持部１１によって受けられて、導光部材５の入射端５ｂ側への移動が規制される。
すなわち、この光源装置１では、上記のように導光部材５に対して導光部材５を入射端５ｂ側に移動させようとする力が作用しても、導光部材５が支持部１１に受けられて導光部材５の入射端５ｂ側への移動が規制されるので、回転台３に対する導光部材５の固定が確実に行われる。
【００３９】
また、導光部材５は、側面のうち、回転台３の回転方向前方を向く側面と回転方向後方を向く側面がそれぞれ傾斜面５ｃとされ、これら傾斜面５ｃがそれぞれ支持部１１によって受けられている。すなわち、導光部材５は、光軸を挟んだ両側から支持部１１によって挟み込まれるように支持されるので、より確実かつ強固に導光部材の支持を行うことができる。
また、この光源装置１では、固定部材６は、導光部材５の入射端面５ｄを開放した状態で、導光部材５の固定を行うことができるので、光源２が発する光を導光部材５の入射端面５ｄから効果的に取り込むことができ、照明効率が高い。
【００４０】
ここで、導光部材５は、本実施形態に示すように一部の側面のみが傾斜面５ｃとされていてもよく、円錐形状や角錐形状など、側面全体が傾斜面５ｃにされていてもよい。
【００４１】
［第二実施形態］
以下、本発明の第二実施形態について、図３及び図４を用いて説明する。
本実施形態に係る光源装置２１は、第一実施形態で示した光源装置１において、導光部材５の代わりに、導光部材２５を用いたことを主たる特徴とするものである。
以下、第一実施形態と同一または同様の構成については同じ符号を用いて示し、詳細な説明を省略する。
【００４２】
導光部材２５は、第一実施形態に示す導光部材５において、回転台３の回転方向前方を向く側面と回転方向後方を向く側面のうちの一部のみを傾斜面５ｃとしたものである。
具体的には、導光部材２５は、入射端５ｂ近傍が断面積一定の角柱形状部２５ａとされており、回転台３の回転方向前方を向く側面と回転方向後方を向く側面のうち、角柱形状部２５ａから出射端５ａまでの領域に、それぞれ傾斜面５ｃが設けられている。
【００４３】
また、この光源装置２１では、固定部材６として、傾斜面５ｃを受ける支持部１１に加えて、導光部材２５の角柱形状部２５ａを、光軸を挟んだ両側から挟みこむように設けられる支持部１１が設けられている。これにより、導光部材２５が光軸方向の複数箇所で支持されることになり、導光部材２５の支持が確実となる。
【００４４】
［第三実施形態］
以下、本発明の第三実施形態について、図５及び図６を用いて説明する。
本実施形態に係る光源装置３１は、第一実施形態で示した光源装置１において、導光部材５の代わりに、導光部材３５を用いるとともに、支持部１１の先端の間にまたがって設けられて支持部１１及び回転台３との間に導光部材３５を挟み込む支持部３２を設けたことを主たる特徴とするものである。
以下、第一実施形態と同一または同様の構成については同じ符号を用いて示し、詳細な説明を省略する。
【００４５】
導光部材３５は、第一実施形態に示す導光部材５において、四つの側面全てを傾斜面５ｃとしたものである。
支持部３２は、支持部１１の先端同士の間にまたがって設けられる板状の部材である。
支持部３２は、支持部１１に対してボルト止め等によって着脱可能にして取り付けられている。支持部３２は、支持部１１と回転台３との間に導光部材３５を設置した状態で両支持部１１に取り付けられることで、支持部１１及び回転台３との間に導光部材３５を挟み込んで固定するものである。
支持部３２において、導光部材３５に対向する部位には、導光部材３５の傾斜面５ｃを受ける当接部３３が突出状態にして設けられている。当接部３３の先端面は傾斜面とされている。これにより、支持部３２が導光部材３５の傾斜面５ｃを受けた際に、当接部３３が傾斜面５ｃに対して面接触することになり、導光部材３５が安定して支持される。
【００４６】
また、回転台３に設けられる突出部８は、先端面が傾斜面とされているとともに、導光部材５の入射端側の突出部８ほど、回転台３からの突出量が大きくなるように設定されており、さらに導光部材３５の傾斜角と同じ角度の傾斜角の面を２つの突出部８は有している。これにより、支持部３２が導光部材３５の傾斜面５ｃを受けた際に、突出部８が接着材層７を介して傾斜面５ｃに対して面接触することになり、導光部材３５が安定して支持される。
【００４７】
ここで、回転台３上に設けられている導光部材３５に遠心力が作用すると、導光部材３５の支持構造によっては、導光部材３５に作用する遠心力が、導光部材３５の重心位置よりも回転軸に近い側にある接着部に、回転台３から導光部材３５の出射端側を離間させる向きの力として作用することがある。
そこで、本実施形態では、支持部３２を、導光部材３５のうち、回転台３に対して導光部材３５の重心Ｇよりも仮想円Ｃの軸線Ｏ方向に離間した部位を支持する構成としている。
これにより、導光部材３５に作用する遠心力が、導光部材３５の出射端５ａ側を回転台３から離間させる向きの力として作用することがなくなり、導光部材３５の固定がより安定する。
【００４８】
また、本実施形態では、支持部１１，３２を、導光部材３５の重心Ｇよりも回転台３の回転中心側の部位を受ける構成としている。
このように、支持部１１，３２を、導光部材３５の重心Ｇよりも回転台３の回転中心側の部位を受ける構成とすることで、導光部材３５に作用する遠心力が、導光部材３５の出射端５ａ側を回転台３から離間させる向きの力として作用することがなくなり、導光部材３５の固定がより安定する。
【００４９】
［第四実施形態］
以下、本発明の第四実施形態について、図７及び図８を用いて説明する。
本実施形態に係る光源装置４１は、第一実施形態で示した光源装置１において、導光部材として導光部材４５を用い、回転台３上に、導光部材４５に対するカウンターウェイト４２を設けるとともに、支持部１１に加えて、支持部４３を設けたことを主たる特徴とするものである。
以下、第一実施形態と同一または同様の構成については同じ符号を用いて示し、詳細な説明を省略する。
【００５０】
導光部材４５は、第一実施形態で示した導光部材５において、傾斜面５ｃが形成される領域と出射端５ａとの間に、周面が導光部材の軸線に略平行となる平行部４５ａを設けたものである。
カウンターウェイト４２は、回転台３において、導光部材４５の設置位置に対して回転中心を挟んで反対側に設けられている。
これにより、回転台３における回転中心をはさんだ重量バランスが均等に保たれるので、回転台３の回転が安定し、導光部材４５の回転を光源２の点灯の切換タイミングに正確に同期させることができる。
【００５１】
支持部４３は、カウンターウェイト４２から回転台３の回転中心をまたいで導光部材４５の入射端５ｂ側まで延びるアームによって構成されている。
本実施形態では、支持部４３及び支持部１１の導光部材４５との接触部は、導光部材４５の隣り合う側面である。
支持部４３及び支持部１１は、導光部材４５に対して線接触することになり、導光部材４５に対して面接触する場合に比べて保持力が高くなる。
【００５２】
このように構成される光源装置４１では、回転台３を回転させると、カウンターウェイト４２にも遠心力が作用する。カウンターウェイト４２に作用する遠心力は、導光部材４５に作用する遠心力とは逆向きである。このため、回転台３を回転させると、カウンターウェイト４２に設けられた支持部４３は、導光部材４５に作用する遠心力とは反対方向に導光部材４５を引っ張ることになる。また、導光部材４５に作用する遠心力が大きくなるほど、カウンターウェイト４２に作用する遠心力（すなわち支持部４３が導光部材４５を引っ張る力）も大きくなる。
これにより、導光部材４５に作用する遠心力の大きさによらず、導光部材４５の入射端５ｂ側への移動を効果的に規制することができ、回転台３に対する導光部材４５の固定を良好に行うことができる。
【００５３】
［第五実施形態］
以下、本発明の第五実施形態について、図９から図１２を用いて説明する。
本実施形態に係る光源装置５１は、第三実施形態で示した光源装置３１において、支持部１１及び支持部３２の代わりに、支持部５２を設けたことを主たる特徴とするものである。
以下、第三実施形態と同一または同様の構成については同じ符号を用いて示し、詳細な説明を省略する。
【００５４】
支持部５２は、回転台３に対して、導光部材３５を回転台３の回転方向の両側から挟みこむように一対設けられた壁状の部材である。
支持部５２は、導光部材３５の傾斜面５ｃのうち、回転台３の回転方向を向く傾斜面５ｃに略平行にして設けられる基部５２ａと、基部５２ａの先端に設けられて、導光部材３５の傾斜面５ｃのうち、回転台３とは反対側を向く傾斜面５ｃ側に回り込む傾斜部５２ｃとを有している。
この傾斜部５２ｃは、図９から図１２に示すように、導光部材３５の傾斜面５ｃのうち、回転台３とは反対側を向く傾斜面５ｃと、この傾斜面５ｃに隣接する傾斜面５ｃとが交差する稜線Ｒを受けている。
【００５５】
導光部材３５の傾斜面５ｃは、入射端５ｂ側から出射端５ａ側に向うにつれて光軸に対する距離が増大する向きの傾斜面である。このため、導光部材３５の傾斜面５ｃとこの傾斜面５ｃに隣接する面とが交差する稜線Ｒは、入射端５ｂ側から出射端５ａ側に向うにつれて光軸に対する距離が増大する向きに傾斜している。
支持部５２は、この稜線Ｒを受けているので、導光部材３５に対して導光部材３５を入射端５ｂ側に移動させようとする力が作用しても、導光部材３５の稜線Ｒが支持部５２によって受けられて、導光部材３５の入射端５ｂ側への移動が規制されるので、回転台３に対する導光部材３５の固定が確実に行われる。
【００５６】
また、この光源装置５１では、支持部５２は、導光部材３５の入射端面５ｄを開放した状態で、導光部材３５の固定を行うことができるので、光源２が発する光を導光部材３５の入射端面５ｄから効果的に取り込むことができ、照明効率が高い。また、この光源装置５１では、支持部５２は、導光部材３５の側面のうち、稜線Ｒを除く部位を開放した状態で、導光部材３５の固定を行うことができる。すなわち、支持部５２は、導光部材３５に対して線接触しており面接触に比べて接触面積を小さくしている。
通常、導光部材と支持部との接触部分は反射率が低下するが、接触面積を小さくすることで光学的に効率のよい導光部材とすることができる。
ここで、本実施形態において、導光部材３５は、側面のうちの一部のみが傾斜面５ｃとされていてもよい。
【００５７】
［第六実施形態］
以下、本発明の第六実施形態について、図１３から図１５を用いて説明する。
本実施形態に係る光源装置６１は、第一実施形態で示した光源装置１において、回転台３の代わりに、回転台６３を設けたことを主たる特徴とするものである。
以下、第一実施形態と同一または同様の構成については同じ符号を用いて示し、詳細な説明を省略する。
【００５８】
回転台６３は、導光部材５の厚み以上の厚みを有する円板形状をなしており、導光部材５が取り付けられる側に、導光部材５を収納する凹部６４を設けて、回転台６３自体によって支持部６５を構成したものである。
凹部６４は、回転台６３の回転中心から周縁部に延びる溝状に形成されている。この凹部６４において回転台６３の周縁部近傍部分（すなわち導光部材５の入射端５ｂが収納される部分）では、幅が狭められている。凹部６４において、幅の切換部分に形成される段部が、導光部材５の傾斜面５ｃを受ける支持部６５が構成されている。
【００５９】
この光源装置６１では、導光部材５が回転台６３の凹部６４内に収納されているので、回転台６３上に導光部材５を露出させた場合に比べて、導光部材５を回転させることによって導光部材５及び回転台６３に加わる空気抵抗が低減される。
これにより、導光部材５を回転駆動した際の風切り音が低減するので、静粛性が向上する。また、空気抵抗による駆動装置４の負荷も低減される。
また、回転台６３自体が支持部６５を構成しているので、支持部６５を回転台６３とは別部材とした場合に比べて、光源装置６１の部品点数を低減して、製造コストを低減することができる。
【００６０】
また、本実施形態では、回転台３の各部の重量配分は、導光部材５を凹部６４内に収納した状態で回転台６３における回転中心を挟んだ重量バランスが均等に保たれるように設定されている。これにより、カウンターウェイトを用いることなしに、回転台６３の回転を安定させることができ、導光部材５の回転を光源２の点灯の切換タイミングに正確に同期させることができる。
【００６１】
［第七実施形態］
以下、本発明の第七実施形態について、図１６から図１７を用いて説明する。
本実施形態に係る光源装置７１は、第一実施形態で示した光源装置１において、支持部１１の代わりに、支持部７６を用いたことを主たる特徴とするものである。
なお、本実施形態では、導光部材５の代わりに導光部材７５を用いている。
以下、第一実施形態と同一または同様の構成については同じ符号を用いて示し、詳細な説明を省略する。
【００６２】
導光部材７５は、第一実施形態に示した導光部材５において、傾斜面５ｃを設けずに、入射端５ｂから出射端５ａ近傍までを断面四角柱形状に形成したものである。
支持部７６は、回転台３において導光部材７５の入射端面５ｄの回転台３側の縁部に対向する部位に設けられる第一支持部７６ａと、回転台３上から立ち上げられて導光部材７５の入射端５ｂ近傍の周囲を取り囲む第二支持部７６ｂとを有している。
【００６３】
第一支持部７６ａは、導光部材７５の入射端面５ｄの回転台３側の縁部を受ける構成とされている。
第二支持部７６ｂは、導光部材７５の側面のうち、回転台３とは反対側を向く側面側から導光部材７５の入射端５ｂ側に張り出して導光部材７５の入射端面５ｄの回転台３とは反対側の縁部を受ける張出部７６ｃとを有している。
【００６４】
このように構成される光源装置７１では、支持部７６が、導光部材７５の入射端面５ｄの周縁部を受けているので、導光部材７５の形状によらず、導光部材７５の固定を行うことができる。
【００６５】
また、支持部７６は、導光部材７５の入射端５ｂの周縁部のうち、仮想円Ｃの軸線Ｏ方向に位置する領域を受けている。すなわち、支持部７６は、導光部材７５の入射端５ｂの周縁部のうち、回転台３の回転方向の前方の領域及び回転方向後方の領域には設けられておらず、導光部材７５の入射端５ｂのうち、光源２の位置する領域に対向する領域を避けた部位を支持している。
これにより、光源２と支持部７６との干渉が避けられるので、導光部材７５の入射端５ｂと光源２とをより近接させて、光源２から導光部材７５に入射する光量を増加させることができ、照明効率を向上することができる。
【００６６】
［第八実施形態］
以下、本発明の第八実施形態について、図１８から図１９を用いて説明する。
本実施形態に係る光源装置８１は、第七実施形態で示した光源装置７１において、支持部７６の代わりに、支持部８６を用いたことを主たる特徴とするものである。
以下、第七実施形態と同一または同様の構成については同じ符号を用いて示し、詳細な説明を省略する。
【００６７】
支持部８６は、回転台３において導光部材７５の光軸を挟んだ両側に配置されている。これら一対の支持部８６の一方は、導光部材７５の入射端面５ｄのうち、回転台３の回転方向前方の縁部を受けており、他方の支持部８６は、回転台３の回転方向後方の縁部を受けている。
【００６８】
このように構成される光源装置８１では、支持部８６が、導光部材７５の入射端面５ｄの周縁部を受けているので、導光部材７５の形状によらず、導光部材７５の固定を行うことができる。
また、導光部材７５は、光軸を挟んだ両側から支持部８６によって挟み込まれるように支持されるので、より確実かつ強固に導光部材７５の支持を行うことができる。
【００６９】
［第九実施形態］
以下、本発明の第九実施形態について、図２０から図２１を用いて説明する。
本実施形態に係る光源装置９１は、第八実施形態で示した光源装置８１において、支持部８６の代わりに、支持部９６を用いたことを主たる特徴とするものである。
以下、第八実施形態と同一または同様の構成については同じ符号を用いて示し、詳細な説明を省略する。
【００７０】
支持部９６は、回転台３において、導光部材７５の入射端５ｂ側よりも径方向外側の位置から、入射端５ｂに対向するように立ち上げられる透明板によって構成されている。
この支持部９６は、その一面によって導光部材７５の入射端面５ｄ全体を受けることで、導光部材７５の支持を行っている。
【００７１】
この光源装置９１では、導光部材７５の形状によらず、導光部材７５の固定を行うことができる。さらに、支持部９６が透明板であるため、光源２から導光部材７５への光の入射を妨げないので、照明効率の低下が生じない。
【００７２】
［第十実施形態］
以下、本発明の第十実施形態について、図２２から図２３を用いて説明する。
本実施形態に係る光源装置１０１は、第八実施形態で示した光源装置８１において、支持部８６の代わりに、支持部１０６を用いたことを主たる特徴とするものである。
以下、第八実施形態と同一または同様の構成については同じ符号を用いて示し、詳細な説明を省略する。
【００７３】
支持部１０６は、回転台３に対して導光部材７５の入射端よりも回転中心側に設けられる一対のフィルムホルダ１０６ａと、これらフィルムホルダ１０６ａに保持されてフィルムホルダ１０６ａから導光部材７５の入射端に巻きまわされる透明フィルム１０６ｂとによって構成されている。
本実施形態では、これらフィルムホルダ１０６ａは、互いの間に導光部材７５を挟んで配置されるとともに、反対回転台３に対して仮想円Ｃの軸線Ｏに略平行にして設けられる棒状の部材によって構成されている。
透明フィルム１０６ｂは、両端にループ１０６ｃが形成された帯状のフィルムであって、各ループ１０６ｃをそれぞれ対応するフィルムホルダ１０６ａに引っ掛けた状態にして保持されている。
【００７４】
この光源装置１０６では、導光部材７５の形状によらず、導光部材７５の固定を行うことができる。さらに、支持部１０６が透明フィルムであるため、光源２から導光部材７５への光の入射を妨げないので、照明効率の低下が生じない。
【００７５】
［第十一実施形態］
以下、本発明の第十一実施形態について、図２４から図２５を用いて説明する。
本実施形態に係る光源装置１１１は、第十実施形態で示した光源装置１０１において、回転台３上にカウンターウェイト４２を設けるとともに、透明フィルム１０６ｂの代わりに、導光部材７５の入射端、フィルムホルダ１０６ａ、及びカウンターウェイト４２に巻きまわされる無端の帯状の透明フィルム１１６を用いたことを主たる特徴とするものである。
【００７６】
このように構成される光源装置１１１では、回転台３にカウンターウェイト４２が設けられているので、回転台３における回転中心をはさんだ重量バランスが均等に保たれる。これにより、回転台３の回転が安定し、導光部材５の回転を光源２の点灯の切換タイミングに正確に同期させることができる。
【００７７】
また、カウンターウェイト４２に作用する遠心力は、導光部材７５に作用する遠心力とは逆向きである。このため、回転台３を回転させると、カウンターウェイト４２に巻きまわされた透明フィルム１１６は、導光部材７５に作用する遠心力とは反対方向に導光部材７５を引っ張ることになる。また、導光部材７５に作用する遠心力が大きくなるほど、カウンターウェイト４２に作用する遠心力（すなわち支持部４３が導光部材５を引っ張る力）も大きくなる。
これにより、導光部材７５に作用する遠心力の大きさによらず、導光部材７５の入射端５ｂ側への移動を効果的に規制することができ、回転台３に対する導光部材７５の固定を良好に行うことができる。
【００７８】
［第十二実施形態］
以下、本発明の第十二実施形態について、図２６から図２７を用いて説明する。
本実施形態に係る光源装置１２１は、第一実施形態で示した光源装置１において、導光部材５の代わりに、導光部材１２５を用いたことを主たる特徴とするものである。
以下、第一実施形態と同一または同様の構成については同じ符号を用いて示し、詳細な説明を省略する。
【００７９】
導光部材１２５は、第一実施形態に示した導光部材５において、傾斜面５ｃを設けずに、入射端５ｂから出射端５ｂ近傍までを断面四角柱形状に形成したものである。さらに、導光部材１２５には、回転台３の回転方向前方を向く側面及び回転方向後方を向く側面のそれぞれに、係合凹部１２６が設けられている。
本実施形態では、係合凹部１２６は、仮想円Ｃの軸線に平行なＶ溝の内面によって構成されている。
また、円柱状をなす支持部１１の側面が、係合凹部１２６に係合する係合突部１２７を構成している。
【００８０】
この光源装置１２１では、係合凹部１２６と係合突部１２７との係合によって回転台３と導光部材１２５とが固定されるので、導光部材１２５の形状によらず、導光部材１２５の固定を行うことができる。
【００８１】
［第十三実施形態］
以下、本発明の第十三実施形態について、図２８から図２９を用いて説明する。
本実施形態に係る光源装置１３１は、第一実施形態で示した光源装置１において、導光部材５の代わりに、導光部材１３５を用いたことを主たる特徴とするものである。
以下、第一実施形態と同一または同様の構成については同じ符号を用いて示し、詳細な説明を省略する。
【００８２】
導光部材１３５は、第一実施形態に示した導光部材５において、傾斜面５ｃを設けずに、入射端５ｂから出射端５ｂ近傍までを断面四角柱形状に形成したものである。さらに、導光部材１３５には、回転台３の回転方向前方を向く側面及び回転方向後方を向く側面のそれぞれに、係合突部１３６が設けられている。
本実施形態では、係合突部１３６は、仮想円Ｃの軸線に平行な方向に延びる断面視略Ｖ字形状の突出部によって構成されている。
また、円柱状をなす支持部１１の側面が、係合突部１３６に係合する係合突部１３７を構成している。
【００８３】
この光源装置１３１では、係合突部１３６と係合突部１３７との係合によって回転台３と導光部材１３５とが固定されるので、導光部材１３５の形状によらず、導光部材１３５の固定を行うことができる。
【００８４】
［第十四実施形態］
以下、本発明の第十四実施形態について、図３０から図３１を用いて説明する。
本実施形態に係る光源装置１４１は、第一実施形態で示した光源装置１において、光源２の光軸が仮想円Ｃの軸線方向の一方に向けられ、導光部材５の代わりに、導光部材１４５を用い、支持部１１の代わりに、支持部１４６を用いたことを主たる特徴とするものである。
また、回転台３上にはカウンターウェイト４２が設けられている。
支持部１４６は、カウンターウェイト４２の突出端から回転台３の回転中心を迂回して導光部材１４５の反射面Ｓ２まで延びるアームによって構成されている。
支持部１４６の反射面Ｓ２側の端部には、反射面Ｓ２を受ける爪部１４６ａが設けられている。また、支持部１４６は、カウンターウェイト４２との接続端が二股に分かれており、これによって導光部材１４５の出射端を露出させつつ、導光部材１４５の反射面Ｓ２を受けている。
【００８５】
導光部材１４５は、導光部材５において、傾斜面５ｃをなくし、入射端５ｂを、各光源２に対向する向きの入射端面５ｄと、入射端面５ｄから入射した光を仮想円Ｃの中心に向けて反射する反射面５ｆとを有する三角プリズムによって構成したものである。
【００８６】
この場合には、固定部材は、導光部材１４５の入射端面５ｄを開放した状態で、導光部材１４５の固定を行うことができるので、光源２が発する光を導光部材１４５の入射端面５ｄから効果的に取り込むことができ、照明効率が高い。
【図面の簡単な説明】
【００８７】
【図１】本発明の第一実施形態に係る光源装置の構成を示す平面図である。
【図２】本発明の第一実施形態に係る光源装置の構成を示す縦断面図である。
【図３】本発明の第二実施形態に係る光源装置の構成を示す平面図である。
【図４】本発明の第二実施形態に係る光源装置の構成を示す縦断面図である。
【図５】本発明の第三実施形態に係る光源装置の構成を示す平面図である。
【図６】本発明の第三実施形態に係る光源装置の構成を示す縦断面図である。
【図７】本発明の第四実施形態に係る光源装置の構成を示す平面図である。
【図８】本発明の第四実施形態に係る光源装置の構成を示す縦断面図である。
【図９】本発明の第五実施形態に係る光源装置の構成を示す平面図である。
【図１０】本発明の第五実施形態に係る光源装置の構成を示す縦断面図である。
【図１１】本発明の第五実施形態に係る光源装置の構成を示す斜視図である。
【図１２】図１０のＡ−Ａ線矢視断面図である。
【図１３】本発明の第六実施形態に係る光源装置の構成を示す平面図である。
【図１４】本発明の第六実施形態に係る光源装置の構成を示す縦断面図である。
【図１５】本発明の第六実施形態に係る光源装置の構成を示す斜視図である。
【図１６】本発明の第七実施形態に係る光源装置の構成を示す平面図である。
【図１７】本発明の第七実施形態に係る光源装置の構成を示す縦断面図である。
【図１８】本発明の第八実施形態に係る光源装置の構成を示す平面図である。
【図１９】本発明の第八実施形態に係る光源装置の構成を示す縦断面図である。
【図２０】本発明の第九実施形態に係る光源装置の構成を示す平面図である。
【図２１】本発明の第九実施形態に係る光源装置の構成を示す縦断面図である。
【図２２】本発明の第十実施形態に係る光源装置の構成を示す平面図である。
【図２３】本発明の第十実施形態に係る光源装置の構成を示す縦断面図である。
【図２４】本発明の第十一実施形態に係る光源装置の構成を示す平面図である。
【図２５】本発明の第十一実施形態に係る光源装置の構成を示す縦断面図である。
【図２６】本発明の第十二実施形態に係る光源装置の構成を示す平面図である。
【図２７】本発明の第十二実施形態に係る光源装置の構成を示す縦断面図である。
【図２８】本発明の第十三実施形態に係る光源装置の構成を示す平面図である。
【図２９】本発明の第十三実施形態に係る光源装置の構成を示す縦断面図である。
【図３０】本発明の第十四実施形態に係る光源装置の構成を示す平面図である。
【図３１】本発明の第十四実施形態に係る光源装置の構成を示す縦断面図である。
【符号の説明】
【００８８】
１，２１，３１，４１，５１，６１，７１，８１，９１，１０１，１１１，１２１、１３１，１４１  光源装置
２  光源
３，６３  回転台
４  駆動装置
５，２５，３５，４５，７５，１２５，１３５，１４５  導光部材
５ｃ  傾斜面
５ｄ  入射端面
５ｆ  反射面
６  固定部材
１１，３２，４３，５２，６５，７６，８６  支持部
４２  カウンターウェイト
６４  凹部
９６  透明板（支持部）
１０６ａ  フィルムホルダ
１０６ｂ  透明フィルム（支持部）
１２６  係合凹部
１２７，１３７  係合突部
Ｃ  仮想円
Ｇ  重心
Ｏ  軸線
Ｒ  稜線
【図１】
2008098095.tif 000003
【図２】
2008098095.tif 000004
【図３】
2008098095.tif 000005
【図４】
2008098095.tif 000006
【図５】
2008098095.tif 000007
【図６】
2008098095.tif 000008
【図７】
2008098095.tif 000009
【図８】
2008098095.tif 000010
【図９】
2008098095.tif 000011
【図１０】
2008098095.tif 000012
【図１１】
2008098095.tif 000013
【図１２】
2008098095.tif 000014
【図１３】
2008098095.tif 000015
【図１４】
2008098095.tif 000016
【図１５】
2008098095.tif 000017
【図１６】
2008098095.tif 000018
【図１７】
2008098095.tif 000019
【図１８】
2008098095.tif 000020
【図１９】
2008098095.tif 000021
【図２０】
2008098095.tif 000022
【図２１】
2008098095.tif 000023
【図２２】
2008098095.tif 000024
【図２３】
2008098095.tif 000025
【図２４】
2008098095.tif 000026
【図２５】
2008098095.tif 000027
【図２６】
2008098095.tif 000028
【図２７】
2008098095.tif 000029
【図２８】
2008098095.tif 000030
【図２９】
2008098095.tif 000031
【図３０】
2008098095.tif 000032
【図３１】
2008098095.tif 000033